(57)【要約】      （修正有）【課題】屋根などの構造物から張り出したり、それらに付着したりする雪庇やつらら等の雪氷を容易に除去できる雪氷切り具を提供する。【解決手段】保持手段５と、燃料供給手段１と、バーナー２と、筒状パイプ４よりなり、パイプ４は、バーナー２の炎をほぼ収容できるように配設される。パイプ４が下向きになるようにし、筒状パイプ４からバーナー２へ熱が伝わるにくくなる手段を設け、バーナー２と筒状パイプ４を隔離し、バーナー２のノズルと筒状パイプ４が一体化される。【選択図】図２
2016108769.tif 000002
【特許請求の範囲】
【請求項１】
保持手段と、燃料供給手段と、バーナーと、筒状パイプよりなり、該パイプは、バーナーの炎をほぼ収容できるように配設された雪氷切り具。
【請求項２】
操作時において、該パイプが下向きになるように構成された請求項１の雪氷切り具。
【請求項３】
筒状パイプからバーナーへ熱が伝わりにくくなる手段が設けられている請求項１又は２の雪氷切り具。
【請求項４】
バーナーと筒状パイプを離隔して配設した請求項１、２又は３の雪氷切り具。
【請求項５】
バーナーのノズルと筒状パイプが一体化した請求項１、２又は３の雪氷切り具。
【発明の詳細な説明】
【技術分野】
【０００１】
本発明は、雪氷除去具に関する。さらに詳しくは、熱を用いて屋根や軒先の雪氷を切断除去する雪氷除去具に関する。
【背景技術】
【０００２】
雪国での生活は、降り積もる雪に対処するために様々な苦労がある。なかでも、家の屋根から張り出す雪庇や軒下のつららは問題である。家の屋根に降り積もる雪は、屋根に近い部分は、圧雪され、屋根からの熱や、天候によって、溶けたり凍ったりを繰り返し屋根のひさしへと凍りながら垂れて雪庇となり、落下の危険を生じる。また部屋の暖房によって大きなつららが形成され、場合によっては窓ガラスを損傷する。
【０００３】
屋根に張り出した雪庇や軒先のつららを除去する道具として、長い柄の先に、雪かき部分をとりつけた道具が種々考えられている（例えば特許文献１）。しかしながら、長い柄を操作して、力任せに、雪や氷を除去するのは大変な労力を要する上に、落下してきた雪のかたまりでけがをしたり、これに埋没する危険もあり、大きな問題となっていた。
【先行技術文献】
【特許文献】
【０００４】
【特許文献１】特開２０１３−２０９８４２号公報
【発明の概要】
【発明が解決しようとする課題】
【０００５】
本発明の目的は、屋根などの構造物から張り出したり、それらに付着したりする雪庇やつらら等の雪氷を容易に除去できる道具を提供することである。
【課題を解決するための手段】
【０００６】
本発明者は、鋭意検討の結果、屋根などの構造物から張り出したり、それらに付着したりする雪庇やつらら等の雪氷を、熱を利用して切断除去することにより、上記の課題を解決することに想到し、本発明に到達した。
即ち、本発明は以下のとおりである。
１．保持手段と、燃料供給手段と、バーナーと、筒状パイプよりなり、該パイプは、バーナーの炎をほぼ収容できるように配設された雪氷切り具。
２．操作時において、該パイプが下向きになるように構成された前記１の雪氷切り具。
３．筒状パイプからバーナーへ熱が伝わりにくくなる手段が設けられた前記１又は２の雪氷切り具
４．バーナーと筒状パイプを離隔して配設した前記１、２又は３の雪氷切り具
５．バーナーのノズルと筒状パイプが一体化した前記１、２又は３の雪氷切り具
【発明の効果】
【０００７】
本発明の雪氷除去具においては、熱せられた筒状パイプを使うことで、大きな力を必要とすることなく、雪氷を切断除去することができる。また、落下してきた雪で、けがをしたり、これに埋没したりの危険が少なくなる。
【図面の簡単な説明】
【０００８】
【図１】図１は、屋根から張り出した雪庇を除去する様子を示した図である。
【図２】図２は、本発明の一実施例を示した図である。
【図３】図３は、バーナーのノズル周辺の拡大図である。
【発明を実施するための形態】
【０００９】
以下に本発明を詳細に説明する。図２は、本発明の一実施例を示したもので、発明の構成を示している。図３は図２のバーナーのノズル周辺の拡大図である。図１は本発明の使用例を示した図である。
本発明の保持手段は、例えば、図２に示した柄（５）のようなもので、操作時に、屋根の雪庇や軒下のつららに届く長さとする。保持手段の持ち手はどのような形でもよく、棒状に限られない。例えば、三角形状にして、握りやすくしてもよいし、逆Ｔ字状にしてもよい。さらに、ざらざらに表面を加工したり、ゴムで表面をおおってもよい。保持手段は、棒状とすることができ、長さを調節できるものであれば好ましく、この場合、屋根の高さに応じて調節したり、収納するときに短くできる。保持手段は一部に曲線部分があってもよい。例えば、逆Ｊ字状のもので、そこに燃料供給手段とバーナーが取付けられているものでもよい。マジックハンドのように、格子状で伸び縮するようなものでもよい。保持手段は、軽くて丈夫な素材で製造されることが好ましく、例えばアルミニウム、チタン、プラスチック、木材、カーボン繊維強化プラスチック、これらの１又は２以上を含む素材が用いてもよい。
【００１０】
燃料供給手段は、例えば、携帯用のボンベ（１）や、設置型ボンベから配管で燃料が供給されるものが挙げられる。燃料供給手段の保持手段への取り付けは、例えば、保持手段の先に台（１２）を設置し、これに燃料供給手段を固定してもよい。バーナー（２）に特に制限はないが、ろう付け用バーナーのように細く強い炎が出るものが好ましい。バーナーと燃料供給手段の間は、熱を伝わりにくくしたり、冷やしたりする手段、例えば断熱材や冷却材を配してもよい。バーナーの炎は、その先の筒状パイプ（４）の穴の中へ延び、内側から、筒状パイプを熱するようにする。筒状パイプはその内部にバーナーの炎をほぼ収容できるように配設されるのが好ましい。また、熱せられた筒状パイプの熱が直接、バーナーに伝わらないように、筒状パイプからバーナーへ熱が伝わりにくくなる手段を設けてもよい。例えば、バーナーのノズル（７）と筒状パイプの接続部分を、蛇腹状にして放熱しやすい構造としたり、熱伝導性が低い素材を使用したり、断熱材を介して両者を接続したりする。また、両者が、直接、接しない構造としてもよい。例えば、図３に示すように、バーナーと筒状パイプを離隔して配設し、バーナーのノズルの外周と筒状パイプの外周を、細い複数本の金属棒（３）で連結してもよい。金属棒とバーナーのノズル及び筒状パイプとの接合は、溶接してもよいし（１３）、ホースバンド（６）のような留め具でとめてもよい。バーナーのノズルや筒状パイプが溶接できない素材の場合は、この上に溶接できる素材を被せて、例えばビスで固定し、これと金属棒を溶接してもよい。
また、バーナーのノズルと筒状パイプは、両者が一体化し、ノズルが延長されている形状でもよい。
【００１１】
筒状パイプの素材は熱に強く、熱伝導率の高いものが好ましい。例えば、熱伝導率の高い銅を用いてもよい。
【００１２】
筒状パイプは、操作時において、下側を向くように配設してもよい。こうすれば、溶けた水や雪氷が、バーナー、筒状パイプ及び操作している人に向けて落下しにくくなる。なお、下側には、水平より下側を向いたものが含まれ、地面に向けて真下を向いているものだけに限られない。
また、操作時において下側を向いていれば、保持手段に対する、バーナーのノズル及び筒状パイプの角度は、調節できるものでもよい。例えば、収納に便利なように保持手段と同方向に調節できるようにしてもよい。
筒状パイプが下側を向いていないときは、溶けた水や雪氷が、バーナー、筒状パイプ及び操作している人に向けて直接落ちてこないように、水や雪氷の受けを取り付けてもよい。
また、筒状パイプは、必ずしも直線である必要はなく、例えば、反っていてもよい。
【００１３】
筒状パイプの断面形状に、特に制限はないが、バーナーに近い部分は炎を収容すべく、バーナーのノズルと同程度の大きさの円状で、先端に行くにつれ、直径を小さくしたり、楕円状にしたりして、筒先を絞って炎が逃げないようにしてもよい。また、扁平状にすれば、左右に動かすときに、雪氷に食い込みやすくなる。
【００１４】
以下に使用例を記載する。
図１の８は屋根に積もった雪である。雪氷除去具（９）で雪庇（１０）を切断除去するが、切断された雪庇は、人の上には落下してこない（１１）。
雪氷除去具を使用するときは、まずは、バーナーに点火し、筒状パイプを十分に熱し、この筒状パイプを雪庇部分に押し当てて、屋根から張り出している雪庇を屋根の端から、切断除去していく。
つららの場合は、雪庇の先についているつららを雪庇ごと切断する。つららは、建物側に反って成長し、窓を損傷することがあるが、これを防ぐことができる。
【産業上の利用可能性】
【００１５】
本発明の雪氷除去具は、大きな力を必要とすることなく、雪氷を切断することができ、屋根の雪庇やつららを除去するのに有用である。
【符号の説明】
【００１６】
１．携帯用ボンベ
２．バーナー
３．金属棒
４．筒状パイプ
５．柄
６．ホースバンド
７．バーナーのノズル
８．屋根に積もった雪
９．雪氷除去具
１０．雪庇
１１．切断除去され落下した雪庇
１２．燃料供給手段を取り付けるための台
１３．溶接部
【図１】
2016108769.tif 000003
【図２】
2016108769.tif 000004
【図３】
2016108769.tif 000005